(57)【特許請求の範囲】
【請求項１】
本体の後面上部に設けられた後面上部空気取入口と、この後面上部空気取入口よりも下部に設けられた送風ファンとを結ぶ取入風路と、この取入風路内に設けられた熱交換器と、上記本体の前面下部に設けられた温風吹出口と上記送風ファンとを結ぶ吹出風路と、を備えた温風暖房機において、
上記取入風路に対応して上記本体の前面に設けられた前面上部空気取入口と、
上記吹出風路に対応し、かつ、上記温風吹出口の上方に位置して上記本体の前面に設けられた上部低温風吹出口と、
上記本体の後面下部に設けられた後面下部空気取入口と、
上記温風吹出口の下に設けられた下部低温風吹出口とを有し、
上記送風ファンを介して上記前面上部空気取入口から取込まれた空気を低温風として上記上部低温風吹出口から吹き出すようにするとともに、上記温風吹出口から吹出される温風に誘引され、上記後面下部空気取入口から取込まれた空気を低温風として上記下部低温風吹出口から吹出すようにしたことを特徴とする温風暖房機。
【発明の詳細な説明】
【０００１】
【発明の属する技術分野】
この発明は、温水暖房装置の室内機等に利用される温風暖房機に関する。
【０００２】
【従来の技術】
従来の温水暖房装置では、室内に熱交換機とラインフローファンを備えた温風暖房装置を配設し、室外に温水ボイラの熱源機を配設し、熱の移動体である温水を循環させる配管を壁を貫通して連結する構成になっている。
図３は、従来の温水暖房装置の室内機等に利用されている温風暖房機を示す断面図である。図において、１は本体、２は本体１の背面に設けられ、冷風を取入れる後面上部取入口、３は熱交換器、４は熱交換器３の下部に設けられたラインフローファン、５は後面上部取入口３とラインフローファン４を結ぶ取入風路である。６は本体１の前面下部に設けられた温風吹出口、７は本体１の内側の後部に設けられた後部仕切板、８は温風吹出口６とラインフローファン７とを結ぶ吹出風路、９は本体１の前面の内側に突設され取入風路５と吹出風路８とを仕切風路形成用の壁部である。
【０００３】
次に、その動作ついて説明する。ラインフローファン４が駆動されＡ方向に回転するると、取入ロ２から空気が導入され、熱交換器３で加熱されて温風となり、取入風路５と吹出風路８を経て温風吹出口６から温風が室内に吹き出される。
【０００４】
【発明が解決しようとする課題】
従来の温風暖房機は、以上のように構成されているので、温風は本体の下部の温風吹き出し口から床面に沿って吹き出すことにより足元を暖ため快適にしている。
しかし、温風が遠くまで届かないうちに上昇してしまうため、足元の快適さは充分でなかった。また、温風暖房機の近くでは床面の温度が高くなり変形などの熱の影響を起こす可能性があった。
【０００５】
この発明は上記のような問題を解消するためになされたもので、温風を遠くまで届くようにして足元の快適性を向上させ、また、温風による床面への熱影響をなくすことができる温風暖房機を得ることを目的とする。
【０００６】
【課題を解決するための手段】
この発明に係わる温風暖房機は、本体の後面上部に設けられた後面上部空気取入口と、この後面上部空気取入口よりも下部に設けられた送風ファンとを結ぶ取入風路と、この取入風路内に設けられた熱交換器と、上記本体の前面下部に設けられた温風吹出口と上記送風ファンとを結ぶ吹出風路と、を備えた温風暖房機において、上記取入風路に対応して上記本体の前面に設けられた前面上部空気取入口と、上記吹出風路に対応し、かつ、上記温風吹出口の上方に位置して上記本体の前面に設けられた上部低温風吹出口と、上記本体の後面下部に設けられた後面下部空気取入口と、上記温風吹出口の下に設けられた下部低温風吹出口とを有し、上記送風ファンを介して上記前面上部空気取入口から取込まれた空気を低温風として上記上部低温風吹出口から吹き出すようにするとともに、上記温風吹出口から吹出される温風に誘引され、上記後面下部空気取入口から取込まれた空気を低温風として上記下部低温風吹出口から吹出すようにしたものである。
【０００８】
【発明の実施の形態】
実施の形態１．
以下、この発明の実施の形態１を図について説明する。図１はこの発明の実施の形態１を示す温水暖房装置の室内機等に利用される温風暖房機の断面図である。
図において、１は本体、２は本体１の背面に設けられ、冷風を取入れる後面上部空気取入口、３は熱交換器、４は熱交換器３の下部に設けられたラインフローファン、５は後面上部空気取入口２とラインフローファン４を結ぶ取入風路である。６は本体１の前面下部に設けられた温風吹出口、７は本体１の内側の後部に設けられた風路形成用の壁部、８は温風吹出口６とラインフローファン４とを結ぶ吹出風路、９は本体１の前面の内側に突設され、取入風路５と吹出風路８とを仕切る風路形成用の壁部である。
【０００９】
１０は風路形成用の壁部９の上方の本体１の前面に設けられた前面上部空気取入口、１１は風路形成用の壁部９と温風吹出口６の間に設けられた上部低温風吹出口である。１３は上部低温風風路形成用の上壁、１４は上部低温風風路形成用の下壁であり、前面上部空気取入口１０と上部低温風吹出口１１の間に上部低温風路１２を形成する。
【００１０】
次に、その動作ついて説明する。ラインフローファン４が駆動されＡ方向に回転すると、取入ロ２から空気が導入され、熱交換器３で加熱されて温風となり、取入風路５と吹出風路８を経て温風吹出口６から温風が室内に吹き出される。また、ラインフローファン４により前面上部空気取入口１０から空気（低温風）が取り入れられ、空気は風路形成用の壁部９と上部低温風風路形成用の上壁１３の間を流れ、ラインフローファン４の羽根の曲面に沿って流れ、風路形成用の壁部９と上部低温風風路形成用の下壁１３の間を流れ、上部低温風吹出口１１から低温風として吹き出す。そして、この低温風により、温風吹出口６から吹き出された温風が上昇するのを抑える。
【００１１】
ここで、取入風路５からの温風がラインフローファン４の後方上部に流れているところに、前面上部空気取入口１０から取り入れられた空気（低温風）が、上部低温風路１２を流れラインフローファン４の前方上部に流れるが、ラインフローファン４内部の風圧分布により温風と低温風は混じらずに各々の吹き出し口より吹き出す。
【００１２】
以上のように、低温風により、温風吹出口から吹き出された温風が上昇するのを抑え、温風を遠くまで届くようにして足元の快適性を向上させることができる。
【００１３】
実施の形態２．
以下、この発明の実施の形態２を図について説明する。図２はこの発明の実施の形態２を示す温水暖房装置の室内機等に利用される温風暖房機の断面図である。図において実施の形態１で示した図１と同一または相当部分には、同じ符号を付し、説明を省略する。
１５は本体１の後面下部に設けられ冷風を取り入れる後面下部空気取入口、１６は温風吹出口６の下に設けられた下部低温風吹出口、１７は取入口仕切板、１８は後面下部空気取入口１５と下部低温風吹出口１６とを結ぶ下部低温風風路である。
【００１４】
次に、動作ついて説明する。ラインフローファン４が駆動されると、取入ロ２から空気が導入され、熱交換器３で加熱されて温風となり、取入風路５と吹出風路８を経て温風吹出口６から温風が室内に吹き出される。
この吹出温風によって温風吹出口６の下の下部低温風吹出口１６近傍に誘引作用が発生し、室温空気が後面下部空気取入口１５から導入され、下部低温風路１８を経て下部低温風吹出口１６から低温風が吹き出し、温風の層の下に冷風の層が形成される。
【００１５】
また、前面上部空気取入口１０から空気（低温風）が取り入れられた低温風は風路１２を流れ、上部低温風吹出口１１から低温風として吹き出す。そして、この低温風により、温風吹出口６から吹き出された温風が上昇するのを抑える。
【００１６】
以上のように、温風を遠くまで届くようにして足元の快適性を向上させることができ、また、温風の流れの下に冷風層が形成され、床面への熱影響を防ぐことができる。
【００１７】
【発明の効果】
以上のように、この発明によれば、本体の後面上部に設けられた後面上部空気取入口と、この後面上部空気取入口よりも下部に設けられた送風ファンとを結ぶ取入風路と、この取入風路内に設けられた熱交換器と、上記本体の前面下部に設けられた温風吹出口と上記送風ファンとを結ぶ吹出風路と、を備えた温風暖房機において、上記取入風路に対応して上記本体の前面に設けられた前面上部空気取入口と、上記吹出風路に対応し、かつ、上記温風吹出口の上方に位置して上記本体の前面に設けられた上部低温風吹出口と、を有し、上記送風ファンを介して上記前面上部空気取入口から取込まれた空気を低温風として上記上部低温風吹出口から吹き出すようにしたので、温風を遠くまで届くようにして足元の快適性を向上させることができる。
【００１８】
また、本体の後面下部に設けられた後面下部空気取入口と、温風吹出口の下に設けられた下部低温風吹出口とを有し、上記温風吹出口から吹出される温風に誘引され、上記後面下部空気取入口から取込まれた空気を低温風として上記下部低温風吹出口から吹出すようにしたので、温風による床面への熱影響をなくすことができる。
【図面の簡単な説明】
【図１】  この発明の実施の形態１を示す温風暖房機の断面図である。
【図２】  この発明の実施の形態２を示す温風暖房機の断面図である。
【図３】  従来の温風暖房機の断面図である。
【符号の説明】
１  本体、２  後面上部空気取入口、３  熱交換器、４  ラインフローファン、５  取入風路、６  温風吹出口、８  吹出風路、９  風路形成用の壁部、１０前面上部空気取入口、１１  上部低温風吹出口、１２  上部低温風路、１５  後面下部空気取入口、１６  下部低温風吹出口、１８  下部低温風風路。
【図１】
0003757350.tif 000002
【図２】
0003757350.tif 000003
【図３】
0003757350.tif 000004